(57)【要約】【課題】余剰に発生した熱を有効に利用して、乾燥時間を短縮することができつつ、乾運転の省エネ化を図ることができる浴室乾燥機を提供する。【解決手段】指令受付部Ｒが乾燥運転の開始を受け付けた後に、空気吹出手段６を作動させて、空気加熱手段９が空気を加熱しない状態で浴室Ｍ内に空気を吹き出す予備乾燥を、指令受付部Ｒによって指令された終了希望時刻よりも設定期間だけ前の処理切換時刻まで実施し、及び、加熱部により加熱した加熱温水により空気加熱手段９が空気を加熱した状態で浴室Ｍ内に温風を吹き出す本乾燥を、処理切換時刻から終了希望時刻まで実施するように構成され、予備乾燥の実施中において、貯湯槽の蓄熱量が熱充分条件を満たす場合に、貯湯槽に貯留された温水又は温水生成部により生成された温水により空気加熱手段９が浴室Ｍ内に吹き出す空気を加熱する加熱送風処理を実施する。【選択図】図２
2017116230.tif 000002
【特許請求の範囲】
【請求項１】
空気を浴室内に吹き出す空気吹出手段と、
前記空気吹出手段にて前記浴室内に吹き出す空気を温水により加熱可能な空気加熱手段と、
温水を生成する温水生成部と、
当該温水生成部により生成された温水を貯留する貯湯槽と、
前記浴室内の乾燥対象物を乾燥させる乾燥運転に関する指令を受け付ける指令受付部と、
運転を制御する制御手段と、
前記温水生成部により生成された温水又は前記貯湯槽に貯留された温水を加熱した加熱温水を生成可能な加熱部とが備えられ、
前記温水生成部により生成された温水、前記貯湯槽に貯留された温水、又は、前記加熱部により加熱された加熱温水により前記空気加熱手段が空気を加熱可能に構成され、
前記制御手段が、前記指令受付部が前記乾燥運転の開始を受け付けた後に、前記空気吹出手段が動作し、且つ、前記加熱部により加熱した加熱温水により前記空気加熱手段が空気を加熱しない状態で前記浴室内に空気を吹き出す予備乾燥を、前記指令受付部が受け付けた前記乾燥運転の終了希望時刻よりも設定期間だけ前の処理切換時刻まで実施し、及び、前記空気吹出手段が動作し、且つ、前記加熱部により加熱した加熱温水により前記空気加熱手段が空気を加熱する状態で前記浴室内に空気を吹き出す本乾燥を、前記処理切換時刻から前記終了希望時刻まで実施するように構成された浴室乾燥システムであって、
前記制御手段が、前記予備乾燥において、前記貯湯槽の蓄熱量が熱充分条件を満たす場合には、前記貯湯槽に貯留された温水又は前記温水生成部により生成された温水により前記空気加熱手段が加熱した空気を前記浴室内に吹き出す加熱送風処理を実施し、及び、前記貯湯槽の蓄熱量が前記熱充分条件を満たさない場合には、前記空気加熱手段が加熱していない空気を前記浴室内に吹き出す非加熱送風処理を実施する浴室乾燥システム。
【請求項２】
前記貯湯槽の温水に蓄えられた蓄熱量を検出する蓄熱量検出部が備えられ、
前記制御手段が、前記予備乾燥において、前記蓄熱量検出部により検出された蓄熱量が設定蓄熱量以上となる場合に、前記熱充分条件が満たされたと判定する請求項１に記載の浴室乾燥システム。
【請求項３】
前記貯湯槽の温水に蓄えられた蓄熱量を検出する蓄熱量検出部と、前記浴室内の空気の湿度を検出する湿度検出部とが備えられ、
前記制御手段が、前記予備乾燥において、前記蓄熱量検出部により検出された蓄熱量が設定蓄熱量以上となる場合、かつ、前記湿度検出部によって検出された湿度が設定湿度以上となる場合に、前記熱充分条件が満たされたと判定する請求項１に記載の浴室乾燥システム。
【請求項４】
前記貯湯槽の温水に蓄えられた蓄熱量を検出する蓄熱量検出部が備えられ、
前記温水生成部に、熱と電気とを併せて発生する熱電併給装置が備えられ、
前記制御手段が、前記予備乾燥において、前記蓄熱量検出部により検出された蓄熱量が設定蓄熱量以上となる場合、かつ、前記熱電併給装置の出力が設定出力以上となる場合に、前記熱充分条件が満たされたと判定する請求項１に記載の浴室乾燥システム。
【請求項５】
前記浴室内の空気の湿度を検出する湿度検出部が備えられ、
前記制御手段が、前記予備乾燥において、前記蓄熱量検出部により検出された蓄熱量が設定蓄熱量以上となる場合、かつ、前記熱電併給装置の出力が設定出力以上となる場合、且つ、前記湿度検出部によって検出された湿度が設定湿度以上となる場合に、前記熱充分条件が満たされたと判定する請求項４に記載の浴室乾燥システム。
【請求項６】
前記貯湯槽の温水に蓄えられた蓄熱量を検出する蓄熱量検出部が備えられ、
前記温水生成部に、太陽熱により湯水を加熱する太陽熱温水装置が備えられ、
前記制御手段が、前記予備乾燥において、前記蓄熱量検出部により検出された蓄熱量が設定蓄熱量以上となる場合、かつ、前記太陽熱温水装置において発生する熱量が設定熱量以上となる場合に、前記熱充分条件が満たされたと判定する請求項１に記載の浴室乾燥システム。
【請求項７】
前記浴室内の空気の湿度を検出する湿度検出部が備えられ、
前記制御手段が、前記予備乾燥において、前記蓄熱量検出部により検出された蓄熱量が設定蓄熱量以上となる場合、かつ、前記太陽熱温水装置において発生する熱量が設定熱量以上となる場合、且つ、前記湿度検出部によって検出された湿度が設定湿度以上となる場合に、前記熱充分条件が満たされたと判定する請求項６に記載の浴室乾燥システム。
【請求項８】
前記制御手段が、前記予備乾燥において、前記加熱送風処理を実施した場合に、前記処理切換時刻を前記終了希望時刻に近づく側に遅延させる請求項１から７の何れか１項に記載の浴室乾燥システム。
【発明の詳細な説明】
【技術分野】
【０００１】
本発明は、浴室内の乾燥対象物を乾燥させる乾燥運転を行う浴室乾燥システムに関する。
【背景技術】
【０００２】
かかる浴室乾燥システムの従来例として、温水生成部により生成された温水を、加熱部に設けられたバーナを燃焼させることにより更に加熱して加熱温水を生成し、この加熱温水の熱を利用して浴室暖房乾燥装置から浴室に吹き出す空気を加熱するものがある（例えば特許文献１参照）。
【０００３】
この特許文献１では、温水生成部に熱電併給装置が備えられ、熱電併給装置により発生した熱を利用して温水が生成されている。そして、温水生成部において生成された温水は貯湯槽に貯留されるように構成されている。
【０００４】
また、消費するエネルギーの低減化を図るため、乾燥運転として、加熱していない空気を浴室に吹き出す予備乾燥を先に実施し、その後、加熱した空気を浴室内に吹き出す本乾燥を実施するような浴室乾燥システムもある。これにより、予備乾燥において加熱していない空気によって浴室内に設けられた乾燥対象物を乾燥させることができる。この場合、予備乾燥において乾燥対象物の乾燥が促進された分だけ、本乾燥において、浴室に吹き出す加熱した空気を減少させることができる。すなわち、本乾燥で必要な温風を生成するためのエネルギーを減少させることができる。その結果、本乾燥のみによって乾燥対象物の乾燥を行う場合に比べて、乾燥運転において空気を加熱するために要するエネルギーを低減することができる。
【先行技術文献】
【特許文献】
【０００５】
【特許文献１】特開２００６−２７５４１６号公報
【発明の概要】
【発明が解決しようとする課題】
【０００６】
しかしながら、加熱していない空気のみで乾燥対象物を乾燥させる予備乾燥においては、乾燥対象物から取り除くことができる水分は相対的に少ないので、乾燥対象物から一定の水分を取り除くためには長い期間が必要となる。よって、予備乾燥と本乾燥とを併用して乾燥対象物の乾燥を完了させるためには、長い期間が必要になる。
【０００７】
本発明は、上記の課題に鑑みてなされたものであり、その目的は、省エネ性を維持しながら、乾燥運転に要する期間の短縮化を図ることができる浴室乾燥システムを提供することにある。
【課題を解決するための手段】
【０００８】
上記目的を達成するための本発明に係る浴室乾燥システムの特徴構成は、
空気を浴室内に吹き出す空気吹出手段と、
前記空気吹出手段にて前記浴室内に吹き出す空気を温水により加熱可能な空気加熱手段と、
温水を生成する温水生成部と、
当該温水生成部により生成された温水を貯留する貯湯槽と、
前記浴室内の乾燥対象物を乾燥させる乾燥運転に関する指令を受け付ける指令受付部と、
運転を制御する制御手段と、
前記温水生成部により生成された温水又は前記貯湯槽に貯留された温水を加熱した加熱温水を生成可能な加熱部とが備えられ、
前記温水生成部により生成された温水、前記貯湯槽に貯留された温水、又は、前記加熱部により加熱された加熱温水により前記空気加熱手段が空気を加熱可能に構成され、
前記制御手段が、前記指令受付部が前記乾燥運転の開始を受け付けた後に、前記空気吹出手段が動作し、且つ、前記加熱部により加熱した加熱温水により前記空気加熱手段が空気を加熱しない状態で前記浴室内に空気を吹き出す予備乾燥を、前記指令受付部が受け付けた前記乾燥運転の終了希望時刻よりも設定期間だけ前の処理切換時刻まで実施し、及び、前記空気吹出手段が動作し、且つ、前記加熱部により加熱した加熱温水により前記空気加熱手段が空気を加熱する状態で前記浴室内に空気を吹き出す本乾燥を、前記処理切換時刻から前記終了希望時刻まで実施するように構成された浴室乾燥システムであって、その特徴構成は、
前記制御手段が、前記予備乾燥において、前記貯湯槽の蓄熱量が熱充分条件を満たす場合には、前記貯湯槽に貯留された温水又は前記温水生成部により生成された温水により前記空気加熱手段が加熱した空気を前記浴室内に吹き出す加熱送風処理を実施し、及び、前記貯湯槽の蓄熱量が前記熱充分条件を満たさない場合には、前記空気加熱手段が加熱していない空気を前記浴室内に吹き出す非加熱送風処理を実施する点にある。
【０００９】
上記特徴構成によれば、予備乾燥を行った後に本乾燥を行うことにより、予備乾燥において乾燥対象物の乾燥を促進することができるので、乾燥運転の省エネ化を図ることができる。また、予備乾燥において、貯湯槽の蓄熱量が熱充分条件を満たす場合に、貯湯槽に貯留された温水又は前記温水生成部により生成された温水により空気加熱手段が加熱した空気を浴室内に吹き出す加熱送風処理を実施するので、浴室内の乾燥対象物を空気加熱手段が加熱した空気によって乾燥させることができる。よって、予備乾燥において乾燥対象物からより多くの水分を取り除くことができる。
【００１０】
また、加熱送風処理は、貯湯槽の蓄熱量が熱充分条件が満たされて、余剰の熱が発生しているときに、その余剰の熱を利用して空気加熱手段が浴室内に吹き出す空気を加熱するものであるので、余剰の熱を有効に利用して、浴室内の乾燥対象物の乾燥を促進させることができる。従って、省エネ性を維持しながら、乾燥運転に要する期間の短縮化を図ることができる。
【００１１】
本発明に係る浴室乾燥システムの更なる特徴構成は、前記貯湯槽の温水に蓄えられた蓄熱量を検出する蓄熱量検出部が備えられ、
前記制御手段が、前記予備乾燥において、前記蓄熱量検出部により検出された蓄熱量が設定蓄熱量以上となる場合に、前記熱充分条件が満たされたと判定する点にある。
【００１２】
上記特徴構成によれば、蓄熱量検出部による実測値に基づいて蓄熱量を検出することができるので、熱充分条件が満たされたことを定量的に判定することができる。また、蓄熱量が設定蓄熱量以上となる場合に、貯湯槽に貯留された温水により空気加熱手段が浴室内に吹き出す空気を加熱する加熱送風処理を実施するので、貯湯槽には少なくとも設定蓄熱量の熱量が残された状態で加熱送風処理を実施することができる。
【００１３】
本発明に係る浴室乾燥システムの更なる特徴構成は、前記貯湯槽の温水に蓄えられた蓄熱量を検出する蓄熱量検出部と、前記浴室内の空気の湿度を検出する湿度検出部とが備えられ、
前記制御手段が、前記予備乾燥において、前記蓄熱量検出部により検出された蓄熱量が設定蓄熱量以上となる場合、かつ、前記湿度検出部によって検出された湿度が設定湿度以上となる場合に、前記熱充分条件が満たされたと判定する点にある。
【００１４】
すなわち、乾燥対象物が乾いてない時、湿度検出部によって検出される湿度は相対的に高くなり、乾燥の促進が必要な状態であることを示している。一方、乾燥対象物が乾いている時、湿度検出部によって検出される湿度が相対的に低くなり、乾燥の促進が不必要な状態であることを示している。よって、湿度検出部によって検出された湿度により、乾燥を促進することが必要か否かを判断することができる。
【００１５】
そして、上記特徴構成によれば、蓄熱量検出部により検出された蓄熱量が設定蓄熱量以上となる場合、かつ、湿度検出部によって検出された湿度が設定湿度以上となる場合に、加熱送風処理を実施する。よって、湿度検出部によって検出された湿度が設定湿度未満となる場合、つまり、浴室内の湿度が相対的に低い湿度となっている場合は、加熱送風処理が実施されないので、乾燥を促進することが不必要な場合において無駄に加熱送風処理を実施することを防止することができる。また、湿度検出部によって検出された湿度が設定湿度以上となる場合、つまり、浴室内の湿度が相対的に高い湿度となっている場合に、加熱送風処理を実施して、乾燥を促進できる。
【００１６】
加えて、蓄熱量が設定蓄熱量以上となる場合に、加熱送風処理を実施するので、貯湯槽には少なくとも設定蓄熱量の熱量が残された状態で加熱送風処理を実施することができる。また、蓄熱量検出部による実測値に基づいて蓄熱量を検出することができるので、熱充分条件が満たされたことを定量的に判定することができる。
【００１７】
本発明に係る浴室乾燥システムの更なる特徴構成は、前記貯湯槽の温水に蓄えられた蓄熱量を検出する蓄熱量検出部が備えられ、
前記温水生成部に、熱と電気とを併せて発生する熱電併給装置が備えられ、
前記制御手段が、前記予備乾燥において、前記蓄熱量検出部により検出された蓄熱量が設定蓄熱量以上となる場合、かつ、前記熱電併給装置の出力が設定出力以上となる場合に、前記熱充分条件が満たされたと判定する点にある。
【００１８】
蓄熱量検出部により検出された蓄熱量が設定蓄熱量以上となる場合というのは、貯湯槽の温水に蓄えられた蓄熱量が多い状態であることを示す。また、熱電併給装置の出力が設定出力以上となる場合というのは、発生する熱量が多い状態であることを示す。よって、貯湯槽の温水に蓄えられた蓄熱量が多くなっている状態であり、且つ、熱電併給装置から発生する熱量が多くなっている状態、すなわち、利用できる熱量が多くなっているときに、その熱量を利用して加熱送風処理を実施することができる。
【００１９】
加えて、蓄熱量が設定蓄熱量以上となる場合に、加熱送風処理を実施するので、貯湯槽には少なくとも設定蓄熱量の熱量が残された状態で加熱送風処理を実施することができる。また、蓄熱量検出部による実測値に基づいて蓄熱量を検出することができるので、熱充分条件が満たされたことを定量的に判定することができる。
【００２０】
本発明に係る浴室乾燥システムの更なる特徴構成は、
前記浴室内の空気の湿度を検出する湿度検出部が備えられ、
前記制御手段が、前記予備乾燥において、前記蓄熱量検出部により検出された蓄熱量が設定蓄熱量以上となる場合、かつ、前記熱電併給装置の出力が設定出力以上となる場合、且つ、前記湿度検出部によって検出された湿度が設定湿度以上となる場合に、前記熱充分条件が満たされたと判定する点にある。
【００２１】
上記特徴構成によれば、湿度検出部によって検出された湿度が設定湿度未満となる場合、つまり、浴室内の湿度が相対的に低い湿度となっている場合は、加熱送風処理が実施されないので、乾燥を促進することが不必要な場合において無駄に加熱送風処理を実施することを防止することができる。また、湿度検出部によって検出された湿度が設定湿度以上となる場合、つまり、浴室内の湿度が相対的に高い湿度となっている場合に、加熱送風処理を実施して、乾燥を促進できる。
【００２２】
本発明に係る浴室乾燥システムの更なる特徴構成は、前記貯湯槽の温水に蓄えられた蓄熱量を検出する蓄熱量検出部が備えられ、
前記温水生成部に、太陽熱により湯水を加熱する太陽熱温水装置が備えられ、
前記制御手段が、前記予備乾燥において、前記蓄熱量検出部により検出された蓄熱量が設定蓄熱量以上となる場合、かつ、前記太陽熱温水装置において発生する熱量が設定熱量以上となる場合に、前記熱充分条件が満たされたと判定する点にある。
【００２３】
蓄熱量検出部により検出された蓄熱量が設定蓄熱量以上となる場合というのは、貯湯槽の温水に蓄えられた蓄熱量が多い状態であることを示す。また、蓄熱量検出部により検出された蓄熱量が設定蓄熱量以上となる場合というのは、発生する熱量が多い状態であることを示す。よって、貯湯槽の温水に蓄えられた蓄熱量が多くなっている状態であり、且つ、太陽熱温水装置から発生する熱量が多くなっている状態、すなわち、利用できる熱量が多くなっているときに、その熱量を利用して加熱送風処理を実施することができる。
【００２４】
加えて、蓄熱量が設定蓄熱量以上となる場合に、加熱送風処理を実施するので、貯湯槽には少なくとも設定蓄熱量の熱量が残された状態で加熱送風処理を実施することができる。また、蓄熱量検出部による実測値に基づいて蓄熱量を検出することができるので、熱充分条件が満たされたことを定量的に判定することができる。
【００２５】
本発明に係る浴室乾燥システムの更なる特徴構成は、
前記浴室内の空気の湿度を検出する湿度検出部が備えられ、
前記制御手段が、前記予備乾燥において、前記蓄熱量検出部により検出された蓄熱量が設定蓄熱量以上となる場合、かつ、前記太陽熱温水装置において発生する熱量が設定熱量以上となる場合、且つ、前記湿度検出部によって検出された湿度が設定湿度以上となる場合に、前記熱充分条件が満たされたと判定する点にある。
【００２６】
上記特徴構成によれば、湿度検出部によって検出された湿度が設定湿度未満となる場合、つまり、浴室内の湿度が相対的に低い湿度となっている場合は、加熱送風処理が実施されないので、乾燥を促進することが不必要な場合において無駄に加熱送風処理を実施することを防止することができる。また、湿度検出部によって検出された湿度が設定湿度以上となる場合、つまり、浴室内の湿度が相対的に高い湿度となっている場合に、加熱送風処理を実施して、乾燥を促進できる。
【００２７】
本発明に係る浴室乾燥システムの更なる特徴構成は、前記制御手段が、前記予備乾燥において、前記加熱送風処理を実施した場合に、前記処理切換時刻を前記終了希望時刻に近づく側に遅延させる点にある。
【００２８】
上記特徴構成によれば、予備乾燥において加熱送風処理を実施した場合には、予備乾燥において加熱送風処理を実施しない場合に比べて、乾燥対象物からより多くの水分を取り除くことができる。よって、予備乾燥の後に行う本乾燥では、乾燥対象物から取り除く必要のある水分が少なくなるので、処理切換時刻を終了希望時刻に近づく側に遅延させて本乾燥の期間を短くすることができる。これにより、本乾燥を行っている間に、加熱部において加熱温水を生成するために必要となるエネルギーを低減することができるので、乾燥運転の省エネ化を図ることができる。
【図面の簡単な説明】
【００２９】
【図１】浴室への浴室暖房乾燥機の取付状態を示す図
【図２】浴室暖房乾燥機の概略図
【図３】リモコンのスイッチ配置を説明する図
【図４】温水供給装置の概略図
【図５】第１実施形態の予備乾燥の非加熱送風処理時の温水供給装置の状態を示す図
【図６】第１実施形態の本乾燥としての温風乾燥処理時の温水供給装置の状態を示す図
【図７】第１実施形態の予備乾燥の加熱送風処理時の温水供給装置の状態を示す図
【図８】第１実施形態のエコ乾燥運転を示すフローチャート
【図９】第２実施形態の温風供給機器の概略図
【図１０】第２実施形態の非加熱送風処理時の温水供給装置の状態を示す図
【図１１】第２実施形態の温風乾燥処理時の温水供給装置の状態を示す図
【図１２】第２実施形態の加熱送風処理時の温水供給装置の状態を示す図
【図１３】第１実施形態の加熱送風処理時の温水供給装置の状態の別実施形態を示す図
【発明を実施するための形態】
【００３０】
〔第１実施形態〕
以下、図面に基づいて、本発明に係る浴室乾燥システムの実施形態を説明する。
本発明に係る浴室乾燥システムは、浴室暖房乾燥機Ａと温水供給装置Ｂとにより構成されている。図１に浴室暖房乾燥機Ａの浴室Ｍへの取付状態を示し、図２に浴室暖房乾燥機Ａの概略を示す。また、図３に、温水供給装置Ｂの概略を示す。
【００３１】
図１及び図２に示すように、浴室暖房乾燥機Ａは、本体ケーシング１と、その下方に設けられたグリル板２とで構成されている。そして、本体ケーシング１が浴室Ｍの天井裏に配置され、グリル板２が天井板１０の浴室側の天井面に配設されている。尚、本体ケーシング１が、吊り金具１１にて、天井スラブ等に吊り下げ支持される。また、ダクト接続部Ｅに接続された排気ダクト５は、浴室Ｍの天井裏を這わして先端を外壁等から屋外に臨ませるように施工される。
【００３２】
浴室暖房乾燥機Ａは、浴室乾燥システムの運転を制御する制御手段としての運転制御部Ｃにより運転が制御されるように構成されている。また、衣類等の乾燥対象物を乾燥させる乾燥運転に関する指令を受け付ける指令受付部としてのリモコンＲが設けられている。リモコンＲは、使用者より受け付けた各種指令を運転制御部Ｃに伝えるように構成されている。なお、リモコンＲは、浴室Ｍ内に備えられた浴室リモコンＲ１と、浴室Ｍに隣接する脱衣室に設けられた脱衣室リモコンＲ２とにより構成されている。
【００３３】
図２に示すように、浴室暖房乾燥機Ａの本体ケーシング１は、下方が浴室Ｍに向けて開口した概ね直方体形状の箱状に構成される。その本体ケーシング１内には、空気を浴室Ｍ内に吹き出す空気吹出手段としての循環ファン６、吸入口３から吸い込んだ空気をダクト接続部Ｅに通過させて本体ケーシング１外に排出する排気ファン７、及び、循環ファン６にて浴室Ｍ内に吹き出される空気を加熱用循環路８に通流する熱媒により加熱する空気加熱手段としての加熱用熱交換器９が収容されている。また、加熱用循環路８には、後述する温水供給装置Ｂから供給された熱媒が通流する。
【００３４】
グリル板２には、空気の吸入口３及び吹出口４が形成されている。そして、本体ケーシング１の内部に、中抜き矢印にて示す如く吸入口３を通して浴室Ｍ内の空気を吸い込んで吹出口４を通して吹き出すための循環通風路１８が、導風板１６により区画形成されている。この循環通風路１８は、導風板１６により、本体ケーシング１の内部における排気口１３が臨む空間部分と区画されている。
【００３５】
そして、この循環通風路１８内に、循環ファン６が、吸入口３に吸込み作用すると共に、その吸入口３から吸い込んだ空気を吹出口４に向けて吐出するように通風作用する状態で設けられている。
【００３６】
加熱用熱交換器９が、循環通風路１８内における循環ファン６よりも通風方向上流側に設けられて、後述する温水供給装置Ｂの第２熱交換器２２から循環供給される温水との熱交換により、循環通風路１８内を通風する空気を加熱するよう構成されている。ちなみに、加熱用熱交換器９は、一対の熱交換器部分にて構成され、これら一対の熱交換部分が正面視でＬ字状に配設されている。
【００３７】
つまり、循環ファン６の通風作用により、吸入口３を通して吸い込まれた浴室Ｍ内の空気が、加熱用熱交換器９にて加熱された後、吹出口４を通して浴室Ｍ内に吹き出されるように構成されており、これにより、浴室Ｍ内に加熱された空気が吹き出される。
【００３８】
また、循環通風路１８の加熱用熱交換器９の通風方向上流側の箇所には湿度検出部１２が設けられている。これにより、浴室Ｍの湿度が検出される。
【００３９】
吹出口４には、モータ等（図示省略）により揺動駆動される可動ルーバ１９が設けられ、この可動ルーバ１９により、吹出口４から浴室Ｍ内に吹き出される空気の風向が変更可能なように構成されている。
【００４０】
排気ファン７が、本体ケーシング１の内部において、排気口１３が形成された内側面と導風板１６との間の部分に設けられたファンケース７ｃ内に設けられている。また、排気ファン７を回転駆動する電動モータ７ｂがファンケース７ｃの上面に配置されている。
また、図示を省略するが、排気口１３が形成された内側面と導風板１６との間の排気ファン７が配設された空間部分は、循環通風路１８内における加熱用熱交換器９よりも通風方向上流側の部分に連通するように構成されている。
【００４１】
そして、循環ファン６が作動されている状態で、排気ファン７が作動されると、循環ファン６の通風作用により浴室Ｍ内の空気が吸入口３を通して吸い込まれ、その浴室Ｍから吸い込まれた空気の一部が、加熱用熱交換器９により加熱される前に排気ファン７の通風作用により分流され、それに伴う風圧により排気口シャッタ１７が開かれて、分流された空気が排気口１３から排気導風ボックス１４及び排気ダクト５を通して屋外に排出される。
又、循環ファン６が停止されている状態で、排気ファン７が作動させる場合でも、浴室内の空気が吸入口３を通して吸い込まれ、それに伴う風圧により排気口シャッタ１７が開かれるので、浴室Ｍ内の空気を屋外に排出することができる。
【００４２】
次に、浴室リモコンＲ１及び脱衣室リモコンＲ２のスイッチ配置について説明する。以下、図３に基づいて、浴室リモコンＲ１について説明するが、脱衣室リモコンＲ２についても同様に構成されている。
【００４３】
浴室リモコンＲ１には、入力した終了希望時刻を表示する時刻表示部４０、本実施形態に係る乾燥運転としてのエコ乾燥運転を指令するエコ乾燥運転スイッチ４１、終了希望時刻に関する指令を受け付ける終了希望時刻入力部４２、可動ルーバ１９の吹き出し方向の変更を指令する風向スイッチ４３、加熱乾燥運転を指令する加熱乾燥運転スイッチ４４、浴室Ｍの暖房を行う暖房運転を指令する暖房運転スイッチ４５、排気ファン７を作動させる換気運転を指令する換気運転スイッチ４６、循環ファン６を作動させる涼風運転を指令する涼風運転スイッチ４７、各運転を停止させる停止スイッチ４８等が設けられている。
【００４４】
加えて、各運転スイッチ４１、４４、４５、４６、４７がＯＮ操作状態にある場合に点灯させられる各種ランプ（エコ乾燥運転ランプ４１ａ、加熱乾燥運転ランプ４４ａ、暖房運転ランプ４５ａ、換気運転ランプ４６ａ、涼風運転ランプ４７ａ）が上記各運転スイッチに隣接して設けられている。
【００４５】
次に、図４を参照して温水供給装置Ｂの構成について説明する。
温水供給装置Ｂは、主な構成として、温水を生成する温水生成部Ｄと、温水生成部Ｄにより生成された温水を貯留する貯湯槽２３と、温水生成部Ｄにより生成された温水又は貯湯槽２３に貯留された温水を加熱して加熱温水を生成する加熱部２４とを備えている。
【００４６】
〔温水生成部〕
温水生成部Ｄは、熱と電気とを併せて発生する熱電併給装置２０と、熱電併給装置２０を冷却する冷却水により、後述する第２循環路３２を通流する温水を加熱する第１熱交換器２１と、熱電併給装置２０の冷却水を、熱電併給装置２０と第１熱交換器２１とを循環するように接続する第１循環路３１と、第１循環路３１内の冷却水を熱電併給装置２０と第１熱交換器２１との間に循環させる第１循環ポンプＰ１とにより構成されている。
つまり、温水生成部Ｄは、第１循環路３１を通流する熱電併給装置２０を冷却することで加熱された冷却水により、第１熱交換器２１において第２循環路３２を通流する湯水を加熱することにより、第２循環路３２内に温水を生成するものである。
【００４７】
熱電併給装置２０は、例えば、固体酸化物型燃料電池によって構成されている。熱電併給装置２０によって発生された電気は図示しない電力消費装置に供給される。また、熱電併給装置２０から電力消費装置に供給する電力を計測する電力量検出部２０Ａが設けられている。
【００４８】
本実施形態の熱電併給装置２０は、電力負荷に追従して常時動作しているものである。そのため、熱電併給装置２０が発生する熱を回収するために、第１循環路３１に設けられた第１循環ポンプＰ１、及び、後述する第２循環路３２に設けられた第２循環ポンプＰ２が常時動作している。
【００４９】
〔第２循環路、第１接続路、第２接続路〕
第２循環路３２は温水が通流する流路である。図４に示すように、第２循環路３２は、ループ状の流路であり、その途中に、第１熱交換器２１、三方弁Ｖ１、加熱部２４、第２熱交換器２２、三方弁Ｖ２、及び、第２循環ポンプＰ２が設けられている。そして、第２循環路３２内では、第２循環ポンプＰ２が作動することにより、温水が第１熱交換器２１、三方弁Ｖ１、加熱部２４、第２熱交換器２２、三方弁Ｖ２、及び、第２循環ポンプＰ２の順に通流できる。
【００５０】
また、第２循環路３２には、貯湯槽２３が、第１接続路３３を介して接続されている。第１接続路３３は、上部第１接続路３３ａと下部第１接続路３３ｂとにより構成されている。具体的には、貯湯槽２３の上部は、上部第１接続路３３ａを介して第２循環路３２に接続され、貯湯槽２３の下部は、下部第１接続路３３ｂを介して第２循環路３２に接続されている。
【００５１】
第２循環路３２と上部第１接続路３３ａとの接続部には、温水の流れを切替える三方弁Ｖ１が設けられ、第２循環路３２と下部第１接続路３３ｂとの接続部には、温水の流れを切替える三方弁Ｖ２が設けられている。
【００５２】
三方弁Ｖ１を、第２循環路３２と上部第１接続路３３ａとが連通する状態に切り替えることで、第２循環路３２を通流する温水を、上部第１接続路３３ａを通じて貯湯槽２３に貯留することができる。また、三方弁Ｖ２を、第２循環路３２と下部第１接続路３３ｂとが連通する状態に切り替えることで、貯湯槽２３に貯留されている温水を、下部第１接続路３３ｂを通じて第２循環路３２に通流させることができる。
【００５３】
また、第２循環路３２には、貯湯槽２３が、第２接続路３４を介して接続されている。第２接続路３４は、上部第２接続路３４ａと下部第２接続路３４ｂとにより構成されている。具体的には、貯湯槽２３の上部は、上部第２接続路３４ａを介して第２循環路３２に接続され、貯湯槽２３の下部は、下部第２接続路３４ｂを介して第２循環路３２に接続されている。
【００５４】
この上部第２接続路３４ａは、第２循環路３２に設けられた三方弁Ｖ１と第２熱交換器２２との間において第２循環路３２と接続されている。また、下部第２接続路３４ｂは、第２循環路３２に設けられた第２熱交換器２２と三方弁Ｖ２との間において第２循環路３２と接続されている。
【００５５】
上部第２接続路３４ａには、貯湯槽２３に貯留された温水を第２循環路３２に供給する第３循環ポンプＰ３と上部第２接続路３４ａを開閉する開閉弁Ｖ３とが設けられている。下部第２接続路３４ｂには、下部第２接続路３４ｂを開閉する開閉弁Ｖ４が設けられている。
【００５６】
また、第２循環路３２において、三方弁Ｖ１と上部第２接続路３４ａが第２循環路３２に接続する接続部との間に加熱部２４が設けられている。そして、加熱部２４と上部第２接続路３４ａが第２循環路３２に接続する接続部との間には、第２循環路３２の温水を外部に供給するための湯水供給管３５が第２循環路３２から分岐するように接続されている。湯水供給管３５には湯水供給管３５を開閉する開閉弁Ｖ５が設けられている。また、下部第２接続路３４ｂが第２循環路３２に接続する接続部と三方弁Ｖ２との間には、第２循環路３２に上水を供給するための上水供給管３６が第２循環路３２に合流するように接続されている。上水供給管３６には上水供給管３６を開閉する開閉弁Ｖ６が設けられている。
【００５７】
第２熱交換器２２には、第２循環路３２と熱交換する加熱用循環路８が設けられている。加熱用循環路８には、加熱用循環路８内に熱媒を通流させる第４循環ポンプＰ４が設けられている。また。加熱用循環路８は、上述した浴室暖房乾燥機Ａの加熱用熱交換器９に接続されている。
【００５８】
このように温水供給装置Ｂが構成され、運転制御部Ｃにより、第１循環ポンプＰ１〜第４循環ポンプＰ４、及び、三方弁Ｖ１、Ｖ２及び開閉弁Ｖ３、Ｖ４の動作を制御するので、温水生成部Ｄにより生成された温水、貯湯槽２３に貯留された温水、又は、加熱部２４により加熱された加熱温水により加熱用熱交換器９が浴室Ｍに供給する空気を加熱可能に構成されている。
【００５９】
〔加熱部〕
加熱部２４は、燃料を燃焼して熱を発生し、その熱により第２循環路３２を流れる温水を昇温する装置である。燃料としてのガスを燃焼するガスバーナ２４Ａと、ガスバーナ２４Ａに供給するガスの量を調整する流量調整弁２４Ｂと、ガスバーナ２４Ａに酸素（空気）を供給するブロア（図示せず）とを備える。また、加熱部２４の内部に第２循環路３２が引き込まれており、第２循環路３２にガスバーナ２４Ａで発生した燃焼熱が与えられるように構成されている。よって、ガスバーナ２４Ａに対して供給するガス量及び空気量を調整することで、第２循環路３２を流れる温水に対して与える熱量を調整できる。例えば、ガスバーナ２４Ａよりも下流側の第２循環路３２に設けられる温水サーミスタ２４Ｃの温度が所定の温度となるように、ガスバーナ２４Ａに対して供給するガス量及び空気量を調整する。
【００６０】
〔貯湯槽〕
貯湯槽２３は、熱電併給装置２０において生成した温水の熱を回収して蓄えるものである。本実施形態では、貯湯槽２３は、その上部に相対的に高温の温水が貯えられ、その下部に相対的に低温の温水が貯えられて、貯湯槽２３の内部で温度成層が形成されるように構成されている。また、貯湯槽２３は密閉式のタンクであり、湯水供給管３５から温水が外部に取り出された場合には、上水供給管３６から上水が取り込まれるように構成されている。
【００６１】
貯湯槽２３は、貯湯槽２３の上下方向に略均等に分散させた状態で、５つの温度検出部Ｔ１〜Ｔ５を備えている。５つの温度検出部Ｔ１〜Ｔ５が、貯湯槽２３の温水に蓄えられた蓄熱量を検出する蓄熱量検出部として機能する。
【００６２】
また、貯湯槽２３に流入する温水の温度調整は、第２循環ポンプＰ２の動作を制御することにより行われる。つまり、図５に示すように、第１循環ポンプＰ１により第１循環路３１における熱媒が循環する状態で、第２循環ポンプＰ２により第２循環路３２における温水の循環量を少なくすると、即ち、第１熱交換器２１を単位時間当たりに通過する温水の流量を少なくすると、第１熱交換器２１を通過後の温水の温度は相対的に高くなるので、貯湯槽２３の温水の温度が上昇する。これに対して、第２循環ポンプＰ２により第２循環路３２における温水の循環量を多くすると、即ち、第１熱交換器２１を単位時間当たりに通過する温水の流量を多くすると、第１熱交換器２１を通過後の温水の温度は相対的に低くなるので、貯湯槽２３に流入する温水の温度が低下する。そして、例えば、運転制御部Ｃは、貯湯槽２３において、流入する温水の温度が６０℃となるように、第２循環ポンプＰ２の動作を制御する。
【００６３】
以下、浴室暖房乾燥機Ａの涼風運転、換気運転、暖房運転、加熱乾燥運転、及び、本実施形態における乾燥運転としてのエコ乾燥運転の各運転について説明する。
【００６４】
〔涼風運転〕
涼風運転は、浴室Ｍ内から吸引した空気を加熱することなく循環通風路１８を通して浴室Ｍ内に吹き出す運転である。具体的には、使用者により涼風運転スイッチ４７が押圧されると、運転制御部Ｃは、加熱用循環路８内の熱媒の通流を停止した状態で循環ファン６を作動させるとともに、排気ファン７を作動させて、浴室Ｍ内から吸引した空気の一部を排気ダクト５を通して屋外に排出させながら、残りの空気を加熱することなく循環通風路１８を通して浴室Ｍ内に吹き出す運転である。また、運転制御部Ｃは、浴室Ｍ内への空気の吹き出し方向が、涼風運転用の設定吹出方向となるように、可動ルーバ１９の向きを調整する。
【００６５】
〔換気運転〕
換気運転は、浴室Ｍ内から吸引した空気を排気ダクト５から排気する運転である。具体的には、使用者により換気運転スイッチ４６が押圧されると、運転制御部Ｃは、循環ファン６の作動を停止し且つ加熱用循環路８内の熱媒の通流を停止した状態で、排気ファン７を作動させる。また、運転制御部Ｃは、可動ルーバ１９が閉状態となるように作動状態を調整する。
【００６６】
〔暖房運転〕
暖房運転は、浴室Ｍ内の空気を取り込んで加熱した上で、浴室Ｍ内に加熱後の空気を吹き出す運転である。具体的には、使用者により暖房運転スイッチ４５が押圧されると、運転制御部Ｃは、排気ファン７を停止させ且つ循環ファン６を作動させ、加熱部２４により第１熱交換器２１において加熱された温水を加熱することで生成された加熱温水により加熱用熱交換器９が空気を加熱する状態で、浴室Ｍ内に加熱された空気を吹き出すように制御する。つまり、図６に示すように、太線で示した第１循環路３１及び第２循環路３２に温水が循環する状態、かつ、加熱用循環路８に熱媒が循環する状態となるように、温水供給装置Ｂを制御する。
そして、吹出口４での温風温度が設定温度範囲に維持されるように、加熱用循環路８を通流する熱媒の流量を制御する。なお、暖房運転の実行中は、加熱部２４が常に燃焼する状態に制御されている。
【００６７】
これにより、加熱用熱交換器９により加熱された空気が吹出口４から浴室Ｍ内に吹き出される。また、運転制御部Ｃは、浴室Ｍ内に吹き出される空気の流量を暖房用の通風量となるように循環ファン６の動作状態を調整するとともに、可動ルーバ１９を揺動させるようにしている。
【００６８】
〔加熱乾燥運転〕
加熱乾燥運転は、例えば、入浴後、或いは、水分を含んだ衣類などの乾燥対象物が配置された被乾燥空間としての浴室Ｍ内から吸引した空気の一部を排気ダクト５を通して屋外に排出させながら、加熱部２４により生成された加熱温水を利用して加熱された熱媒を加熱用循環路８に通流させた状態で、残りの空気を加熱用熱交換器９により加熱した上で吹出口４から浴室Ｍ内に吹き出す運転である。
【００６９】
具体的には、使用者により加熱乾燥運転スイッチ４４が押圧されると、運転制御部Ｃは、排気ファン７及び循環ファン６を作動させ、加熱部２４により第１熱交換器２１において加熱された温水を加熱することで生成された加熱温水により加熱用熱交換器９が空気を加熱する状態で浴室Ｍ内に加熱された空気を吹き出すように制御する。また、温水供給装置Ｂにおける温水及び熱媒の循環状態は、上記の暖房運転と同様に図６に示した循環状態となる。
そして、吹出口４での温風温度が設定温度範囲に維持されるように、加熱用循環路８を通流する熱媒の流量を制御する。なお、加熱乾燥運転の実行中は、加熱部２４が常に燃焼する状態に制御されている。
【００７０】
〔エコ乾燥運転〕
エコ乾燥運転は、例えば、水分を含んだ衣類などの乾燥対象物が配置された被乾燥空間としての浴室Ｍ内から吸引した空気の一部を排気ダクト５を通して屋外に排出させながら、加熱部２４により加熱した加熱温水により加熱用熱交換器９が空気を加熱しない状態で浴室Ｍ内に空気を吹き出す予備乾燥の後に、加熱部２４により加熱した加熱温水により加熱用熱交換器９が空気を加熱する状態で浴室Ｍ内に空気を吹き出す本乾燥を実施するものである。予備乾燥では、貯湯槽２３の蓄熱量が熱充分条件を満たす場合に、貯湯槽２３に貯留された温水により加熱用熱交換器９が加熱した空気を吹出口４から浴室Ｍ内に吹き出すように構成されている。
【００７１】
具体的には、運転制御部Ｃは、使用者によりリモコンＲのエコ乾燥運転スイッチ４１が押圧された後、つまり、リモコンＲがエコ乾燥運転の開始を受け付けた後に、排気ファン７及び循環ファン６を作動させ、加熱部２４により第１熱交換器２１において加熱された温水を加熱することで生成された加熱温水により加熱用熱交換器９が空気を加熱しない状態で浴室Ｍ内に空気を吹き出す予備乾燥を、リモコンＲが受け付けた乾燥運転の終了希望時刻よりも設定期間だけ前の処理切換時刻まで実施し、及び、排気ファン７及び循環ファン６を作動し、且つ、加熱部２４により加熱した加熱温水により加熱用熱交換器９が空気を加熱する状態で浴室Ｍ内に空気を吹き出す本乾燥を、処理切換時刻から終了希望時刻まで実施する。
【００７２】
リモコンＲが受け付ける乾燥運転の終了希望時刻は、使用者が乾燥対象物の乾燥を完了させたい時刻であり、エコ乾燥運転の実施前に、使用者によりリモコンＲの終了希望時刻入力部４２から入力されるものである。
【００７３】
処理切換時刻から終了希望時刻までの期間である設定期間は、例えば、運転制御部Ｃにより、現在時刻から使用者の入力した終了希望時刻までの時間が求められ、その時間の長さに応じて設定されるものである。つまり、現在時刻から使用者の入力した終了希望時刻までの時間が長い時は、予備乾燥の時間を長くすることができるので、予備乾燥において乾燥対象物がある程度乾燥する。よって、その後の本乾燥を短くしても乾燥対象物を終了希望時刻に乾燥することができるので、設定期間を短く設定することができる。
なお、本実施形態では、予備乾燥において、後述する加熱送風処理及び非加熱送風処理が実施され、本乾燥として、後述する温風乾燥処理が実施される。
【００７４】
そして、運転制御部Ｃは、予備乾燥において、貯湯槽２３の蓄熱量が熱充分条件を満たす場合には、貯湯槽２３に貯留された温水により加熱用熱交換器９が加熱した空気を浴室Ｍ内に吹き出す加熱送風処理を実施し、及び、貯湯槽２３の蓄熱量が熱充分条件を満たさない場合には、加熱用熱交換器９が加熱していない空気を浴室Ｍ内に吹き出す非加熱送風処理を実施する。
【００７５】
本実施形態においては、運転制御部Ｃが、予備乾燥において蓄熱量検出部として機能する温度検出部Ｔ１〜Ｔ５により検出された温度により求められた貯湯槽２３の蓄熱量が設定蓄熱量以上となる場合に、熱充分条件が満たされたと判定し、貯湯槽２３に貯留された温水により加熱用熱交換器９が加熱した空気を浴室Ｍ内に吹き出す加熱送風処理を実施する。一方、運転制御部Ｃは、温度検出部Ｔ１〜Ｔ５により検出された温度により求められた貯湯槽２３の蓄熱量が設定蓄熱量未満となる場合に、熱充分条件が満たされていないと判定し、加熱用熱交換器９が加熱していない空気を浴室Ｍ内に吹き出す非加熱送風処理を実施する。
【００７６】
貯湯槽２３の蓄熱量については、運転制御部Ｃによって、貯湯槽２３内に収容されている温水の体積及び温度より求められる。例えば、貯湯槽２３において温度検出部Ｔ１よりも上方に収容される温水が温度検出部Ｔ１の検出温度であるとして求められる蓄熱量、温度検出部Ｔ２と温度検出部Ｔ１との間に収容される温水が温度検出部Ｔ２の検出温度であるとして求められる蓄熱量、温度検出部Ｔ３と温度検出部Ｔ２との間に収容される温水が温度検出部Ｔ３の検出温度であるとして求められる蓄熱量、温度検出部Ｔ４と温度検出部Ｔ３との間に収容される温水が温度検出部Ｔ４の検出温度であるとして求められる蓄熱量、及び、温度検出部Ｔ５と温度検出部Ｔ４との間に収容される温水が温度検出部Ｔ５の検出温度であるとして求められる蓄熱量の和が、貯湯槽２３の蓄熱量として求められる。
【００７７】
また、設定蓄熱量は、例えば、使用者による過去の熱の使用履歴から予測される熱の需要量である予測需要熱量に設定される。よって、本実施形態においては、予備乾燥において、温度検出部Ｔ１〜Ｔ５の検出温度に基づいて求められた貯湯槽２３の蓄熱量が、予測需要熱量以上となる場合に、加熱送風処理を実施するように構成されている。これにより、予測需要量に対して余剰の熱が貯湯槽２３に蓄熱されたときに、その余剰の熱を利用して浴室Ｍ内に吹き出す空気を加熱用熱交換器９により加熱して、浴室Ｍ内の乾燥対象物の乾燥を促進することができる。
【００７８】
次に、エコ乾燥運転における非加熱送風処理、温風乾燥処理及び加熱送風処理の温水供給装置Ｂの動作状態について図５〜図７に基づいて説明する。なお、図５〜図７において太線で示した流路は、温水が通流する状態でとなっている流路を示す。
【００７９】
〔非加熱送風処理〕
図５に示すように、予備乾燥における非加熱送風処理では、運転制御部Ｃは、第４循環ポンプＰ４の動作を停止して加熱用循環路８内の熱媒の通流を停止した状態、つまり、加熱部２４により加熱した加熱温水又は貯湯槽２３に貯留された温水により加熱用熱交換器９が空気を加熱しない状態とする。
【００８０】
そして、循環ファン６及び排気ファン７を作動させて、浴室Ｍ内から吸引した空気の一部を排気ダクト５を通して屋外に排出させながら、残りの空気を循環通風路１８を通して浴室Ｍ内に吹き出す。また、運転制御部Ｃは、浴室Ｍ内への空気の吹き出し方向が、エコ乾燥運転の非加熱送風処理の設定吹出方向となるように、可動ルーバ１９の向きを調整する。非加熱送風処理により、浴室Ｍ内に吹き出される空気によって乾燥対象物から水分を取り除くことができる。
【００８１】
なお、本実施形態では熱電併給装置２０が常時作動しているので、図５に示すように、第１循環路３１及び第２循環路３２に温水が通流する状態となるように、第１循環ポンプＰ１、第２循環ポンプＰ２を稼働させ、かつ、三方弁Ｖ１、Ｖ２を切替える。これにより、第１熱交換器２１において、第１循環路３１を循環する熱電併給装置２０の冷却水が保有する熱により、第２循環路３２を循環する温水が加熱される。そして、第１熱交換器２１において加熱された温水が、第２循環路３２から第１接続路３３を介して貯湯槽２３に蓄熱される。
【００８２】
〔温風乾燥処理〕
図６に示すように、本乾燥における温風乾燥処理では、運転制御部Ｃは、第２循環ポンプＰ２、第４循環ポンプＰ４及び加熱部２４を動作させ、かつ、三方弁Ｖ１、Ｖ２を切替えて、第２循環路３２に温水が通流し、加熱用循環路８に熱媒が通流する状態にする。つまり、加熱部２４により加熱した加熱温水により加熱用熱交換器９が空気を加熱する状態にする。
【００８３】
そして、循環ファン６及び排気ファン７を作動させて、浴室Ｍ内から吸引した空気の一部を排気ダクト５を通して屋外に排出させながら、残りの空気を加熱用熱交換器９により加熱して循環通風路１８を通して浴室Ｍ内に吹き出す。また、運転制御部Ｃは、浴室Ｍ内への空気の吹き出し方向が、温風乾燥処理の設定吹出方向となるように、可動ルーバ１９の向きを調整する。この温風乾燥処理により、加熱部２４により加熱した加熱温水の熱を利用して加熱された空気により乾燥対象物から水分を取り除くことができる。
【００８４】
なお、本実施形態では熱電併給装置２０が常時作動しているので、図６に示すように、第１循環ポンプＰ１を稼働させて、第１循環路３１に冷却水が通流する状態とされる。これにより、第１熱交換器２１において、第１循環路３１を循環する熱電併給装置２０の冷却水が保有する熱により第２循環路３２を循環する温水が加熱されるので、加熱部２４において第２循環路３２を循環する温水を更に加熱した加熱温水を生成することができる。
【００８５】
〔加熱送風処理〕
図７に示すように、予備乾燥における加熱送風処理では、運転制御部Ｃは、第３循環ポンプＰ３及び第４循環ポンプＰ４を動作させて、第２循環路３２と第２接続路３４で構成される循環路に温水が通流し、加熱用循環路８に熱媒が通流する状態にする。つまり、貯湯槽２３に貯留された温水により加熱用熱交換器９が空気を加熱する状態にする。
【００８６】
そして、循環ファン６及び排気ファン７を作動させて、浴室Ｍ内から吸引した空気の一部を排気ダクト５を通して屋外に排出させながら、残りの空気を加熱用熱交換器９により加熱して循環通風路１８を通して浴室Ｍ内に吹き出す。
なお、加熱送風処理においては、加熱部２４が作動していないので、加熱部２４により加熱した加熱温水により加熱用熱交換器９が空気を加熱する状態とはならない。
また、運転制御部Ｃは、浴室Ｍ内への空気の吹き出し方向が、加熱送風処理の設定吹出方向となるように、可動ルーバ１９の向きを調整する。この加熱送風処理により、貯湯槽２３に貯湯された温水の熱を利用して加熱された空気により乾燥対象物から水分を取り除くことができる。
【００８７】
なお、本実施形態では熱電併給装置２０が常時作動しているので、図７に示すように、第１循環ポンプＰ１、第２循環ポンプＰ２を稼働させ、かつ、三方弁Ｖ１、Ｖ２を切替えて、第１循環路３１及び第２循環路３２と第１接続路３３で構成される循環路に温水が通流する状態とされる。これにより、第１熱交換器２１において、第１循環路３１を循環する熱電併給装置２０の冷却水が保有する熱により、第２循環路３２を循環する温水が加熱される。そして、第１熱交換器２１において加熱された温水が、第２循環路３２から第１接続路３３を介して貯湯槽２３に蓄熱される。これにより、貯湯槽２３に貯湯された温水を加熱しつつ、その温水の熱を利用して加熱用熱交換器９が加熱した空気を浴室Ｍに吹き出すことができる。
【００８８】
次に、エコ乾燥運転について、図８に示したフローチャートに基づいて説明する。
エコ乾燥運転を実施するにあたり、使用者により所望の終了希望時刻がリモコンＲの終了希望時刻入力部４２から入力される。また、使用者によりリモコンＲのエコ乾燥運転スイッチ４１が押圧されると、つまり、リモコンＲがエコ乾燥運転の開始を受け付けると、リモコンＲからエコ乾燥運転の開始が運転制御部Ｃに指令される。
【００８９】
運転制御部Ｃは、リモコンＲがエコ乾燥運転の開始を受け付けると、現在時刻から終了希望時刻までの期間が、設定期間よりも長い時間であるか否かを判別する（＃１）。この判別は、エコ乾燥運転を実施するための時間が充分であるか否かを判別するものであり、現在時刻から終了希望時刻までの時間の長さが、設定期間以下の時間の長さであるときは、予備乾燥を実施せずに、本乾燥を実施するようにするものである。
【００９０】
すなわち、＃１において、現在時刻から終了希望時刻までの時間が、設定期間よりも長い時間である場合には、非加熱送風処理を実施する（＃２）。そして、熱充分条件を満たすか否かを判別する（＃３）。本実施形態においては、蓄熱量検出部として機能する温度検出部Ｔ１〜Ｔ５により検出された温度により求められた蓄熱量が設定蓄熱量以上となっているか否かを判別する。
【００９１】
＃３において、熱充分条件を満たす場合、すなわち、蓄熱量が設定蓄熱量以上となっている場合には、加熱送風処理が実施される（＃５）。また、＃３において、熱充分条件を満たさない場合、すなわち、蓄熱量が設定蓄熱量未満となっている場合には、処理切換時刻になっているか否かを判別する（＃４）。
【００９２】
＃４において、処理切換時刻になっていない場合には、非加熱送風処理が継続して実施される（＃２）。
【００９３】
＃５において、加熱送風処理が実施されると、熱充分条件を満たすか否かを判別する（＃６）。そして、熱充分条件を満たす場合、処理切換時刻になっているか否かを判別する（＃７）。また、＃６において、熱充分条件を満たさない場合、非加熱送風処理を再度実施する（＃２）。
【００９４】
＃７において処理切換時刻になっていない場合には、加熱送風処理が継続して実施される（＃５）。
【００９５】
また、図８には示されていないが、運転制御部Ｃは、＃５の加熱送風処理が実施された場合には、＃７の処理切換時刻を終了希望時刻に近づく側に遅延させる。例えば、＃５の加熱送風処理によって浴室内に吹き出した時間だけ、＃７における温風乾燥処理を実施する時間が短くなるように処理切換時刻を終了希望時刻に近づく側に遅延させる。
【００９６】
＃１において、現在時刻から終了希望時刻までの時間が、設定期間以下の時間である場合、及び、＃４、＃７において処理切換時刻になっている場合には、温風乾燥処理を実施する（＃８）。次に、運転制御部Ｃは、終了希望時刻となっているか否かを判別する（＃９）。終了希望時刻となっていない場合には温風乾燥処理を継続して実施し、終了希望時刻となっている場合には、温風乾燥処理を停止してエコ乾燥運転を終了する（＃９）。つまり、第１、第２、第４循環ポンプＰ１、Ｐ２、Ｐ４を停止し、加熱部２４の燃焼を停止し、浴室暖房乾燥機Ａの排気ファン７及び循環ファン６を停止する。
【００９７】
〔第２実施形態〕
次に、第２実施形態を説明するが、この第２実施形態は、温水生成部Ｄの別実施形態を示すものであって、その他の構成は第１実施形態と同様である。第１実施形態と異なる部分についてのみ説明して、第１実施形態と同様な構成については、詳細な説明を省略する。
【００９８】
図９に示すように、第２実施形態では、温水生成部Ｄが太陽熱により湯水を加熱する太陽熱温水装置５０を備える点、及び、温水生成部Ｄが貯湯槽２３内に、太陽熱により加熱された熱媒と貯湯槽２３内に貯留された温水とを熱交換するタンク用熱交換器５２が設けられている点で第１実施形態の温水生成部Ｄと異なるものである。
【００９９】
具体的には、第２実施形態に係る温水生成部Ｄは、太陽熱を利用して熱を得る太陽熱温水装置５０と、熱媒が通流する集熱器循環路５１と、集熱器循環路５１に熱媒を循環させる集熱循環ポンプＰ５と、集熱器循環路５１を循環する熱媒により、貯湯槽２３に貯留されている温水を加熱するタンク用熱交換器５２とにより構成されている。なお、集熱器循環路５１には熱媒の温度を検出する循環路温度検出部５１Ａが設けられている。
【０１００】
これにより、集熱器循環路５１を通流する熱媒は、太陽熱温水装置５０と貯湯槽２３に設けられるタンク用熱交換器５２とを順に通流し、タンク用熱交換器５２において、太陽熱温水装置５０により加熱された集熱器循環路５１を通流する熱媒と、貯湯槽２３に貯留されている温水との間での熱交換が行われ、貯湯槽２３に貯留されている温水が加熱される。
【０１０１】
また、第２実施形態では、第１接続路３３と第２循環路３２とにより、貯湯槽２３の貯留された温水を循環させるループ状の流路が形成されている。このループ状の流路において、上部第１接続路３３ａには接続循環ポンプＰ６が設けられ、第２循環路３２には加熱部２４、第２熱交換器２２が設けられている。そして、接続循環ポンプＰ６が作動することにより、貯湯槽２３の温水が、接続循環ポンプＰ６、加熱部２４、第２熱交換器２２の順に通流するように構成されている。
【０１０２】
運転制御部Ｃは、上記第１実施形態と同様に、予備乾燥において、蓄熱量検出部としての温度検出部Ｔ１〜Ｔ５により検出された蓄熱量が設定蓄熱量以上となる場合に、熱充分条件が満たされたと判定する。
【０１０３】
また、運転制御部Ｃは、太陽熱温水装置５０によって得られる熱量が多いときは、集熱循環ポンプＰ５を動作させ、太陽熱温水装置５０によって得られる熱量が少なくなると集熱循環ポンプＰ５を停止させる。具体的には、循環路温度検出部５１Ａによって検出された集熱器循環路５１を循環する熱媒の温度が、所定の設定熱媒温度以上となると、集熱循環ポンプＰ５を動作させ、所定の設定熱媒温度未満となると、集熱循環ポンプＰ５を停止させる。
【０１０４】
なお、集熱循環ポンプＰ５が停止した状態において、集熱器循環路５１を循環する熱媒の温度が、所定の設定熱媒温度以上となっているかを検出するために、運転制御部Ｃは、例えば、集熱循環ポンプＰ５を予め定めた設定検出期間毎に、一定時間作動させるように構成されている。
これにより、太陽熱温水装置５０によって得られる熱量が少ないときに、低温となっている熱媒がタンク用熱交換器５２に通流することにより、貯湯槽２３内の温水の温度が低下することを防止することができる。
【０１０５】
次に、第２実施形態のエコ乾燥運転における非加熱送風処理、温風乾燥処理及び加熱送風処理の温水供給装置Ｂの動作状態について図１０〜図１２に基づいて説明する。
【０１０６】
〔非加熱送風処理〕
図１０に示すように、非加熱送風処理においては、運転制御部Ｃは、第４循環ポンプＰ４の動作を停止して加熱用循環路８内の熱媒の通流を停止した状態、つまり、加熱部２４により加熱した加熱温水又は貯湯槽２３に貯留された温水により加熱用熱交換器９が空気を加熱しない状態で、循環ファン６及び排気ファン７を作動させて、浴室Ｍ内から吸引した空気の一部を排気ダクト５を通して屋外に排出させながら、残りの空気を循環通風路１８を通して浴室Ｍ内に吹き出す。また、運転制御部Ｃは、浴室Ｍ内への空気の吹き出し方向が、エコ乾燥運転の非加熱送風処理の設定吹出方向となるように、可動ルーバ１９の向きを調整する。
【０１０７】
また、図１０に示した動作状態は、循環路温度検出部５１Ａによって検出された集熱器循環路５１を循環する熱媒の温度が、所定の設定熱媒温度以上である場合の温水供給装置Ｂの動作状態であり、集熱循環ポンプＰ５を稼働させて、集熱器循環路５１に熱媒が通流する状態を示すものである。これにより、タンク用熱交換器５２において、集熱器循環路５１を通流する熱媒が保有する熱により、貯湯槽２３に貯湯された温水が加熱される。
【０１０８】
〔温風乾燥処理〕
図１１に示すように、温風乾燥処理においては、運転制御部Ｃは、第４循環ポンプＰ４及び加熱部２４を動作させて、第１接続路３３と第２循環路３２とにより構成される循環路に温水を通流させ、加熱用循環路８に熱媒を通流させた状態にする。つまり、加熱部２４により加熱した加熱温水により加熱用熱交換器９が空気を加熱する状態にする。
そして、循環ファン６及び排気ファン７を作動させて、浴室Ｍ内から吸引した空気の一部を排気ダクト５を通して屋外に排出させながら、残りの空気を加熱用熱交換器９により加熱して循環通風路１８を通して浴室Ｍ内に吹き出す。また、運転制御部Ｃは、浴室Ｍ内への空気の吹き出し方向が、温風乾燥処理の設定吹出方向となるように、可動ルーバ１９の向きを調整する。
【０１０９】
なお、図１１に示した動作状態は、循環路温度検出部５１Ａによって検出された集熱器循環路５１を循環する熱媒の温度が、所定の設定熱媒温度以上である場合の温水供給装置Ｂの動作状態であり、集熱循環ポンプＰ５を稼働させて、集熱器循環路５１に熱媒が通流する状態とされる。これにより、タンク用熱交換器５２において、集熱器循環路５１を通流する熱媒が保有する熱により、貯湯槽２３に貯湯された温水を加熱しつつ、その温水を加熱部２４により加熱した加熱温水を利用して加熱用熱交換器９が加熱した空気を浴室Ｍに吹き出すことができる。
【０１１０】
〔加熱送風処理〕
図１２に示すように、加熱送風処理においては、運転制御部Ｃは、第３循環ポンプＰ３及び第４循環ポンプＰ４を動作させて、第２循環路３２と第２接続路３４とで構成される循環路、及び、加熱用循環路８に熱媒が通流する状態にする。つまり、貯湯槽２３に貯留された温水により加熱用熱交換器９が空気を加熱する状態にする。
そして、循環ファン６及び排気ファン７を作動させて、浴室Ｍ内から吸引した空気の一部を排気ダクト５を通して屋外に排出させながら、残りの空気を加熱用熱交換器９により加熱して循環通風路１８を通して浴室Ｍ内に吹き出す。加熱送風処理においては、加熱部２４が作動していないので、加熱部２４により加熱した加熱温水により加熱用熱交換器９が空気を加熱する状態とはならない。
また、運転制御部Ｃは、浴室Ｍ内への空気の吹き出し方向が、加熱送風処理の設定吹出方向となるように、可動ルーバ１９の向きを調整する。
【０１１１】
なお、図１２に示した動作状態は、循環路温度検出部５１Ａによって検出された集熱器循環路５１を循環する熱媒の温度が、所定の設定熱媒温度以上である場合の温水供給装置Ｂの動作状態であり、集熱循環ポンプＰ５を稼働させて、集熱器循環路５１に熱媒が通流する状態とされる。これにより、タンク用熱交換器５２において、集熱器循環路５１を通流する熱媒が保有する熱により、貯湯槽２３に貯湯された温水を加熱しつつ、その貯湯槽２３に貯留された温水により加熱用熱交換器９が加熱した空気を浴室Ｍに吹き出すことができる。
【０１１２】
〔別実施形態〕
以下、別実施形態を列記する。
（１）上記実施形態においては、運転制御部Ｃが、蓄熱量検出部としての温度検出部Ｔ１〜Ｔ５により検出された蓄熱量が設定蓄熱量以上となる場合に、熱充分条件が満たされたと判定したが、これに限らず、運転制御部Ｃが、予備乾燥において、蓄熱量検出部により検出された蓄熱量が所定の設定蓄熱量以上となる場合、かつ、浴室暖房乾燥機Ａに設けられた湿度検出部１２（図１参照）によって検出された湿度が所定の設定湿度以上となる場合に、熱充分条件が満たされたと判定するように構成してもよい。
【０１１３】
（２）上記第１実施形態においては、運転制御部Ｃが、蓄熱量検出部としての温度検出部Ｔ１〜Ｔ５により検出された蓄熱量が設定蓄熱量以上となる場合に、熱充分条件が満たされたと判定する例、つまり、現時点において実際に貯湯槽２３に蓄熱された蓄熱量に基づいて熱充分条件が満たされたと判定する例を示したが、これに限らず、現時点から設定期間後において貯湯槽２３に蓄熱される予測熱量に基づいて熱充分条件が満たされたと判定するように構成してもよい。
この場合、現時点から設定期間後において貯湯槽２３に蓄熱されることが予測される予測熱量は、現在の貯湯槽２３に蓄熱されている熱量と現時点から設定期間後までに貯湯槽２３に新たに蓄熱されることが予測される追加熱量との和としてもよい。
【０１１４】
追加蓄量は、上記第１実施形態においては、熱電併給装置２０が、予め定められた運転計画に基づいて電力が出力される場合は、その運転計画の出力に基づいて、現時点以降に貯湯槽２３に新たに蓄熱されることが予測される熱量とすることができる。
また、追加蓄量は、上記第２実施形態においては、太陽熱温水装置５０が、天気予報等により得られる現時点以降の天候状態に基づいて、現時点以降に貯湯槽２３に新たに蓄熱されることが予測される熱量とすることができる。
【０１１５】
（４）上記第１実施形態においては、運転制御部Ｃが、予備乾燥において、貯湯槽２３の蓄熱量が熱充分条件を満たす場合に、熱充分条件が満たされたと判定したが、これに限らず、運転制御部Ｃが、予備乾燥において、蓄熱量検出部により検出された蓄熱量が設定蓄熱量以上となる場合、かつ、熱電併給装置２０の出力が設定出力以上となる場合に、熱充分条件が満たされたと判定してもよい。この場合、熱電併給装置２０の出力を、例えば、熱電併給装置２０から電力消費装置に供給する電力を計測する電力量検出部２０Ａによって検出された単位時間当たりの発電電力としてもよい。
【０１１６】
（５）上記第２実施形態においては、運転制御部Ｃが、予備乾燥において、貯湯槽２３の蓄熱量が熱充分条件を満たす場合に、熱充分条件が満たされたと判定したが、これに限らず、運転制御部Ｃが、予備乾燥において、蓄熱量検出部により検出された蓄熱量が設定蓄熱量以上となる場合、かつ、太陽熱温水装置５０において発生する熱量が設定熱量以上となる場合に、熱充分条件が満たされたと判定してもよい。この場合、太陽熱温水装置５０において発生する熱量を、例えば、集熱循環ポンプＰ５の温水吐出量と、循環路温度検出部５１Ａにより検出された温度とから求めてもよい。
【０１１７】
（６）上記第１実施形態においては、熱電併給装置２０が固体酸化物型燃料電池によって構成したが、これに限らず、熱電併給装置２０を固体酸化物型燃料電池以外の燃料電池によって構成してもよい。また、熱電併給装置２０をガスエンジン及びエンジン発電装置により構成してもよい。
【０１１８】
（７）上記実施形態においては、処理切換時刻から終了希望時刻までの期間である設定期間は、例えば、運転制御部Ｃにより、現在時刻から使用者の入力した終了希望時刻までの時間が求められ、その時間の長さに応じて設定されるものとしたが、これに限られるものではない。例えば、設定期間を、浴室暖房乾燥機Ａに設けられた湿度検出部１２（図１参照）によって検出される湿度に応じて求めてもよい。また、浴室暖房乾燥機Ａに湿度検出部１２が設けられていない場合には、設定期間を予め定めた所定の期間としてもよい。
【０１１９】
（８）上記第１実施形態においては、予備乾燥において、貯湯槽２３の蓄熱量が熱充分条件を満たす場合には、運転制御部Ｃは、第３循環ポンプＰ３及び第４循環ポンプＰ４を動作させて、第２循環路３２と第２接続路３４で構成される循環路に温水が通流し、かつ、加熱用循環路８に熱媒が通流する状態として、貯湯槽２３に貯留された温水により加熱用熱交換器９が加熱した空気を浴室Ｍ内に吹き出す加熱送風処理を実施するように構成したが、これに限るものではない。例えば、図１３に示すように、予備乾燥において、貯湯槽２３の蓄熱量が熱充分条件を満たす場合には、温水生成部Ｄにより生成された温水により加熱用熱交換器９が加熱した空気を浴室Ｍ内に吹き出す加熱送風処理を実施するように構成してもよい。つまり、運転制御部Ｃは、予備乾燥において、貯湯槽２３の蓄熱量が熱充分条件を満たす場合には、第２循環ポンプＰ２及び第４循環ポンプＰ４を動作させ、加熱部２４を作動させない状態で、図１３において太線で示した第１循環路３１及び第２循環路３２に温水が循環し、かつ、加熱用循環路８に熱媒が通流する状態として、温水生成部Ｄにより生成された温水により加熱用熱交換器９が空気を加熱して浴室Ｍ内に吹き出す加熱送風処理を実施するように構成してもよい。
【０１２０】
（９）上記第１実施形態においては、運転制御部Ｃが、予備乾燥において温度検出部Ｔ１〜Ｔ５により検出された温度により求められた貯湯槽２３の蓄熱量が設定蓄熱量以上となる場合に、熱充分条件が満たされたと判定し、加熱送風処理を実施したが、熱充分条件が満たされたと判定する方法はこれに限るものではない。例えば、使用者が、貯湯槽２３への蓄熱が不要であると判断した場合等に押圧する蓄熱量判断スイッチを設けて、使用者によりこの蓄熱量判断スイッチが押圧された場合には、運転制御部Ｃが、熱充分条件が満たされたと判定してもよい。
【０１２１】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【０１２２】
以上説明したように、余剰に発生した熱を有効に利用して、乾燥時間を短縮することができつつ、乾運転の省エネ化を図ることができる浴室乾燥機を提供することができる。
【符号の説明】
【０１２３】
６          循環ファン（空気吹出手段）
９          加熱用熱交換器（空気加熱手段）
１２        湿度検出部
２０        熱電併給装置
２３        貯湯槽
２４        加熱部
５０        太陽熱温水装置
Ｃ          運転制御部（制御手段）
Ｄ          温水生成部
Ｒ          リモコン（指令受付部）
Ｍ          浴室
Ｔ１〜Ｔ５  温度検出部（蓄熱量検出部）
【図１】
2017116230.tif 000003
【図２】
2017116230.tif 000004
【図３】
2017116230.tif 000005
【図４】
2017116230.tif 000006
【図５】
2017116230.tif 000007
【図６】
2017116230.tif 000008
【図７】
2017116230.tif 000009
【図８】
2017116230.tif 000010
【図９】
2017116230.tif 000011
【図１０】
2017116230.tif 000012
【図１１】
2017116230.tif 000013
【図１２】
2017116230.tif 000014
【図１３】
2017116230.tif 000015